(57)【要約】【課題】  ネットワークを介してカメラの動画像データを見る複数のユーザに対して、カメラのズームの状態を容易に把握することができるカメラサーバ／クライアントシステムを提供すること。【解決手段】  カメラサーバは、ズームの状態が変更された時点において、接続されているすべての前記クライアントに対して、ズームの状態を送信し、クライアントは前記ズームの状態を受信し、ズームの状態が変化したことを検知すると、前記クライアントのズーム設定部の表示を変更する。【選択図】  図１
2009077255.tif 000002
【特許請求の範囲】
【請求項１】
ズームレンズと、
前記ズームレンズによる被写体の拡大倍率である光学ズーム倍率の設定を受け付ける光学ズーム倍率設定部と、
前記設定された光学ズーム倍率に対応するズームポジションに前記ズームレンズを駆動するレンズ駆動部と、
前記駆動されたズームレンズによって結像された被写体像を光電変換した第１画像を得る撮像部と、
電子ズーム倍率の設定を受け付ける電子ズーム倍率設定部と、
前記第１画像から前記設定された電子ズーム倍率に対応する画素範囲を切り出し、概画素範囲の画像内容を所定サイズに拡大した第２画像を生成する電子ズーム部と、
前記第１画像または第２画像を送信するネットワーク部と、を備えるカメラサーバと、
前記カメラサーバから送信される画像データを受信するネットワーク部と、
前記受信した画像の表示をおこなう画像表示アプリケーション部と、
前記カメラサーバのズーム設定をおこなうズーム設定部を備えるクライアントと、
前記カメラサーバと前記クライアントを１つ以上接続するネットワークからなるカメラサーバ／クライアントシステムにおいて、
前記カメラサーバは、ズームの状態が変更された時点において、接続されているすべての前記クライアントに対して、ズームの状態を送信し、
前記クライアントは前記ズームの状態を受信し、ズームの状態が変化したことを検知すると、前記クライアントのズーム設定部の表示を変更することを特徴とするカメラサーバ／クライアントシステム。
【請求項２】
前記クライアントがカメラサーバとの接続時に、電子ズームの有無、電子ズーム域の最大値と最小値、光学ズーム域の最大値と最小値の情報を受信して電子ズーム域と光学ズームとの境界を前記クライアントのズーム設定部の表示に反映させることを特徴とする請求項１に記載のカメラサーバ／クライアントシステム。
【請求項３】
前記カメラサーバと接続された第１のクライアントが前記ズーム設定部によりカメラサーバのズームの状態を変更すると、前記カメラサーバに対してズームの状態変更要求を送信することを特徴とする請求項１に記載のカメラサーバ／クライアントシステム。
【請求項４】
前記カメラサーバが前記第１のクライアントからズームの状態変更要求を受信すると、その状態変更要求にしたがって、カメラのズームの状態を設定することを特徴とする請求項１に記載のカメラサーバ／クライアントシステム。
【請求項５】
前記クライアントのズーム設定部の表示の変更は、ズーム状態が電子ズーム域に入ると電子ズーム域を示すアイコンのデザインが変更されることを特徴とする請求項１に記載のカメラサーバ／クライアントシステム。
【発明の詳細な説明】
【技術分野】
【０００１】
本発明は、カメラサーバに入力される動画像データをネットワークを経由して接続されたクライアントに対して配信するカメラサーバ／クライアントシステムに関する。
【背景技術】
【０００２】
従来、ネットワーク機能を持たない撮像装置において、ズームレンズがテレ端に位置するときには、ユーザに対して、ズームレンズがテレ端にあることを知らせることができるようにするものがある。（例えば、特許文献１）
また、光学ズーム機能に加えて電子ズーム機能も使用されている旨を撮影者に知らせることができるものがある。（例えば、特許文献２）
【特許文献１】特開２００３−２４４４９０号公報
【特許文献２】特開２００６−３３３７１号公報
【発明の開示】
【発明が解決しようとする課題】
【０００３】
しかしながら、ネットワークを介してカメラの動画像データを見る複数のユーザに対して、光学ズーム域か、電子ズーム域か、ズームの倍率等、ズームの状態を容易に知らせることは考えられていない。また、ネットワークを介したカメラの動画像データを複数のユーザが見る場合には、あるユーザがネットワークを介したカメラに対して制御したズームの状態を他のユーザに対しても反映させる必要がある。
【０００４】
本発明は上記問題点を解決するためになされたものであり、その目的は、ネットワークを介してカメラの動画像データを見る複数のユーザに対して、カメラのズームの状態を容易に把握することができるカメラサーバ／クライアントシステムを提供することにある。
【課題を解決するための手段】
【０００５】
請求項１に記載のカメラサーバ／クライアントシステムは、
ズームレンズと、
前記ズームレンズによる被写体の拡大倍率である光学ズーム倍率の設定を受け付ける光学ズーム倍率設定部と、
前記設定された光学ズーム倍率に対応するズームポジションに前記ズームレンズを駆動するレンズ駆動部と、
前記駆動されたズームレンズによって結像された被写体像を光電変換した第１画像を得る撮像部と、
電子ズーム倍率の設定を受け付ける電子ズーム倍率設定部と、
前記第１画像から前記設定された電子ズーム倍率に対応する画素範囲を切り出し、概画素範囲の画像内容を所定サイズに拡大した第２画像を生成する電子ズーム部と、
前記第１画像または第２画像を送信するネットワーク部と、を備えるカメラサーバと、
前記カメラサーバから送信される画像データを受信するネットワーク部と、
前記受信した画像の表示をおこなう画像表示アプリケーション部と、
前記カメラサーバのズーム設定をおこなうズーム設定部を備えるクライアントと、
前記カメラサーバと前記クライアントを１つ以上接続するネットワークからなり、前記カメラサーバは、ズームの状態が変更された時点において、接続されているすべての前記クライアントに対して、ズームの状態を送信し、
前記クライアントは前記ズームの状態を受信し、ズームの状態が変化したことを検知すると、前記クライアントのズーム設定部の表示を変更することができる。
【０００６】
請求項２に記載のカメラサーバ／クライアントシステムは、前記クライアントがカメラサーバとの接続時に、電子ズームの有無、電子ズーム域の最大値と最小値、光学ズーム域の最大値と最小値の情報を受信して電子ズーム域と光学ズームとの境界を前記クライアントのズーム設定部の表示に反映させることができる。
【０００７】
請求項３に記載のカメラサーバ／クライアントシステムは、前記カメラサーバと接続された第１のクライアントが前記ズーム設定部によりカメラサーバのズームの状態を変更すると、前記カメラサーバに対してズームの状態変更要求を送信することができる。
【０００８】
請求項４に記載のカメラサーバ／クライアントシステムは、前記カメラサーバが前記第１のクライアントからズームの状態変更要求を受信すると、その状態変更要求にしたがって、カメラのズームの状態を設定することができる。
【０００９】
請求項５に記載のカメラサーバ／クライアントシステムは、前記クライアントのズーム設定部の表示の変更は、ズーム状態が電子ズーム域に入ると電子ズーム域を示すアイコンのデザインが変更される。
【発明の効果】
【００１０】
本発明のカメラサーバ／クライアントシステムによれば、ネットワークを介してカメラサーバの動画像データを見る複数のクライアントのユーザは、カメラのズームの状態を容易に把握することができる。
【発明を実施するための最良の形態】
【００１１】
次に、本発明の詳細を実施例の記述に従って説明する。
【実施例１】
【００１２】
本発明の実施の形態のカメラサーバ／クライアントシステムについて、図１に基づいて説明する。すなわち図１はカメラサーバ／クライアントシステムの構成図で、ズームレンズ部２０１は、例えば光学６倍ズームレンズが用いられ、望遠（テレ）側または広角（ワイド）側のズーム操作に応じて鏡胴が進退駆動される。レンズ駆動部２０２は、処理設定部２０５により設定された光学ズーム倍率に対応するズームポジションにズームレンズ部２０１を駆動する。撮像部２０３は、ゲイン調整回路及びA/D変換器を含み、前記駆動されたズームレンズによって結像された被写体像を光電変換してデジタル信号に変換された画像データを得る。画像処理部２０４は、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部等を含む画像処理手段である。画像処理部２０４に入力された画像データは、輝度信号（Y信号）及び色差信号（Cr，Cb信号）に変換されるとともに、ガンマ補正等の所定の処理が施された後、メモリ２０６に格納される。メモリ２０６に格納された画像データは、処理設定部２０５により設定された電子ズーム倍率に対応する画素範囲を切り出し、前記画素範囲の画像内容を所定サイズに拡大した画像を生成してメモリ２０６に格納する。前記生成された画像データは、ネットワーク部２０７から、ネットワーク３００を介して、クライアント１００に送信される。また、カメラサーバ２００は、ネットワーク部２０７よりクライアント１００から送信されるズームの状態を受信し、メモリ２０６に格納する。
【００１３】
前記受信したズームの状態に応じて、処理設定部２０５は、被写体の拡大倍率である光学ズーム倍率および電子ズーム倍率を設定する。また、カメラサーバ２００のズームの状態をネットワーク部２０７よりクライアント１００に送信する。
【００１４】
ズーム設定部１０１はGUI（Graphical  User  Interface）であり、ユーザはズーム設定部１０１により、カメラサーバ２００のズーム状態を知り、カメラサーバ２００のズーム状態を変更することが可能となる。ズーム設定部１０１により設定されたズーム状態はメモリ１０３に格納され、ネットワーク部１０４から、ネットワーク３００を介して、カメラサーバ２００に送信される。また、カメラサーバ２００からネットワーク３００を介してネットワーク部１０４より受信したカメラサーバ２００のズーム状態はメモリ１０３に格納され、ズーム設定部１０１のGUIに反映される。また、カメラサーバ２００からネットワーク３００を介してネットワーク部１０４より受信した画像データは、メモリ１０３に格納され、画像表示アプリケーション部１０２により動画像圧縮データを伸張してグラフィックインターフェースに表示される。
【００１５】
図２は、カメラサーバ２００の処理フローの例である。
【００１６】
カメラサーバ２００はクライアント１００からネットワーク３００を介して接続要求を受信すると（S1）、カメラサーバ２００は、電子ズームの有無、電子ズーム域の最大値と最小値、光学ズーム域の最大値と最小値、デフォルトのズームの状態（光学ズーム：１倍）をクライアント１００に送信する（S2）。その後、カメラサーバ２００はクライアントからのズーム状態変更要求を受信するのを待つ（S３）。クライアントからズーム状態変更要求を受信すると、ズーム状態変更要求に応じて、処理設定部２０５は光学ズーム倍率および電子ズーム倍率を設定する（S4）。処理設定部２０５により光学ズーム倍率が設定された場合、レンズ駆動部２０２は、処理設定部２０５により設定された光学ズーム倍率に対応するズームポジションにズームレンズ部２０１を駆動する。処理設定部２０５により電子ズーム倍率が設定された場合、メモリ２０６に格納された画像データは、処理設定部２０５により設定された電子ズーム倍率に対応する画素範囲を切り出し、前記画素範囲の画像内容を所定サイズに拡大した画像を生成してメモリ２０６に格納する。その後、カメラサーバ２００に接続されているすべてのクライアントに対して、変更後のズームの状態（光学ズームの倍率および電子ズームの倍率）を送信する（S5）。
【００１７】
図３は、クライアント１００の処理フローの例である。
【００１８】
クライアント１００はネットワーク３００を介してカメラサーバ２００に対して接続要求を送信する（S10）。クライアント１００とカメラサーバ２００がネットワーク３００を介して接続後、クライアント１００はカメラサーバ２００から電子ズームの有無、電子ズーム域の最大値と最小値、光学ズーム域の最大値と最小値、デフォルトのズームの状態（光学ズーム：１倍）を受信する(S11)。クライアント１００はこれらの情報を受信すると、ズーム設定部１０１のGUIにズーム域およびズーム状態を反映した表示をおこなう(S12)。
【００１９】
図４は、クライアント１００のズーム設定部１０１のGUIの例である。
【００２０】
４００の領域は、画像表示アプリケーション部により表示される領域を示す。カメラサーバ２００からネットワーク３００を介してネットワーク部１０４より受信した画像データは、メモリ１０３に格納され、画像表示アプリケーション部１０２により動画像圧縮データを伸張して４００の領域に表示される。４０１〜４０３のGUIはズーム設定部のGUIを示す。アイコン４０１は電子ズームを示すアイコンであり、電子ズームが無効の場合は表示されない。電子ズームが有効であり、かつズームが電子ズーム域に入ると、アイコン４０１のデザインが変化する。たとえば、アイコン４０１の大きさが大きくなる、または色が変化する。４０３の境界線は電子ズーム域と光学ズーム域の境界を示す。境界線４０３よりカーソル４０２が下にある場合、ズームが光学ズーム域にあることを示す。また、境界線４０３よりカーソル４０２が上にある場合、ズームが電子ズーム域にあることを示す。カメラサーバ２００から受信した電子ズーム域の最大値はカーソル領域のトップ４０４、最小値は境界線４０３、光学ズーム域の最大値は境界線４０３、最小値はカーソル領域のボトム４０５に対応する。ズーム設定部１０１は、カメラサーバから受信したズーム状態（光学ズーム倍率および電子ズーム倍率）に応じて、カーソル領域にカーソル４０２を描画する。ユーザは、カーソル４０２をカーソル領域上で操作することができ、ユーザが操作したカーソル４０２の位置に応じて、ズームの状態が決定される。すなわち、光学ズーム倍率および電子ズーム倍率が決定される。カーソル４０２を境界線４０３より上に持っていくと、光学ズームは最大倍率に設定され、電子ズームが有効となり、４０３と４０４の間のどの位置にカーソル４０３が存在するかにより、電子ズーム倍率が設定される。カーソル４０２を境界線４０３より下に持っていくと、電子ズームは無効となり、４０３と４０５の間のどの位置にカーソル４０３が存在するかにより、光学ズーム倍率が設定される。こうしてユーザがカーソル４０２を操作することによりズーム状態（光学ズーム倍率および電子ズーム倍率）を変更すると（S13）、カメラサーバ２００へズーム状態変更要求をズーム状態とともに送信する(S14)。また、カメラサーバ２００からズームの状態（光学ズーム倍率および光学ズーム倍率）を受信すると（S15）、ズーム設定部１０１のGUIにズーム状態を反映した表示をおこなう(S16)。ズーム設定部１０１は、カメラサーバ２００から受信したズーム状態（光学ズーム倍率および電子ズーム倍率）に応じて、カーソル領域にカーソル４０２を描画する。また、電子ズームが有効であり、かつズームが電子ズーム域に入っている場合は、アイコン４０１のデザインが変化する。たとえば、アイコン４０１の大きさが大きくなる、または色が変化する。
【図面の簡単な説明】
【００２１】
【図１】本発明の実施の形態のカメラサーバ／クライアントシステムの構成を示すブロック図である。
【図２】本発明の実施の形態のカメラサーバの処理フローの例を示すフローチャートである。
【図３】本発明の実施の形態のクライアントの処理フローの例を示すフローチャートである。
【図４】本発明の実施の形態のクライアントのズーム設定部のGUIの例を示す図である。
【図１】
2009077255.tif 000003
【図２】
2009077255.tif 000004
【図３】
2009077255.tif 000005
【図４】
2009077255.tif 000006